【手続補正書】
【提出日】平成16年2月2日(2004.2.2)
【手続補正１】
【補正対象書類名】特許請求の範囲
【補正対象項目名】全文
【補正方法】変更
【補正の内容】
【特許請求の範囲】
【請求項１】
ポリウレタンを形成するためのイソシアナート化合物またはそのプレポリマーとアルコール、ポリオールまたはそのプレポリマーとの反応を触媒するために使用するのに適した触媒組成物であって、
（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物であって、ジケトンもアセトアセテートエステルも含まない配位用化合物と、
の混合物を含む組成物。
【請求項２】
前記金属はチタンまたはジルコニウムである、請求項１に記載の触媒組成物。
【請求項３】
前記配位用化合物はケトンである、請求項１または請求項２に記載の触媒組成物。
【請求項４】
有機金属化合物対配位用化合物のモル比は、１：０．５〜１：１０の範囲内である、請求項１〜３のいずれか１項に記載の触媒組成物。
【請求項５】
前記金属がチタンである場合、モル比は１：０．５〜１：４の範囲内であり、前記金属がハフニウムまたはジルコニウムである場合、モル比は１：４〜１：１０の範囲内である、請求項４に記載の触媒組成物。
【請求項６】
ポリウレタン材料の製造のための硬化可能な組成物であって、
Ａ．ポリオール成分と、
Ｂ．ポリイソシアナート成分と、
Ｃ．（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物であって、ジケトンもアセトアセテートエステルも含まない配位用化合物と、
の混合物を含む触媒組成物と、
を含む組成物。
【請求項７】
触媒は、ポリオール成分またはイソシアナート成分に加えられる、請求項６に記載の組成物。
【請求項８】
ポリオール成分及びポリイソシアナート成分及び触媒組成物を一緒に混合する工程を含み、前記触媒組成物は、
（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物であって、ジケトンもアセトアセテートエステルも含まない配位用化合物と、
の混合物を含む、ポリウレタン組成物の製造方法。
【請求項９】
前記ポリオール成分及び前記ポリイソシアナート成分が一緒に混合される前に、前記触媒組成物は、前記ポリオール成分または前記ポリイソシアナート成分のうちの１つと一緒に混合される、請求項８に記載の方法。
【請求項１０】
触媒成分は、前記ポリオール成分と前記ポリイソシアナート成分との混合物に加えられる、請求項８に記載の方法。
【請求項１１】
前記ポリオール成分と前記ポリイソシアナート成分との混合物を加熱する工程をさらに含む、請求項８〜１０のいずれか１項に記載の方法。
【請求項１２】
請求項１〜５のいずれか１項に記載の触媒組成物を含むポリオール組成物。
【請求項１３】
請求項１〜５のいずれか１項に記載の触媒組成物を含むポリイソシアナート組成物。
【手続補正２】
【補正対象書類名】明細書
【補正対象項目名】００１１
【補正方法】変更
【補正の内容】
【００１１】
本発明によれば、ポリウレタンを形成するためのイソシアナート化合物またはそのプレポリマーとアルコールまたはポリオールとの反応のための触媒として使用するのに適した組成物は、
（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物（coordinating compound）であって、ジケトンもアセトアセテートエステルも含まない配位用化合物と、
の混合物を含む。
【手続補正３】
【補正対象書類名】明細書
【補正対象項目名】００１２
【補正方法】変更
【補正の内容】
【００１２】
本発明のさらなる態様においては、本願発明者らは、ポリウレタン材料の製造のための硬化可能な組成物であって、
Ａ．ポリオール成分と、
Ｂ．ポリイソシアナート成分と、
Ｃ．（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物であって、ジケトンもアセトアセテートエステルも含まない配位用化合物と、
の混合物を含む触媒組成物と、
を含む組成物を提供する。
【手続補正４】
【補正対象書類名】明細書
【補正対象項目名】００１３
【補正方法】変更
【補正の内容】
【００１３】
本発明のさらなる態様においては、本願発明者らは、ポリオール成分及びポリイソシアナート成分及び触媒組成物を一緒に混合する工程を含み、前記触媒組成物は、
（ａ）（ｉ）式：Ｍ（ＯＲ）x［式中、Ｍはチタン、ジルコニウム、ハフニウム、アルミニウム、コバルト若しくは鉄またはこうした金属の混合物であり、ｘは該金属の原子価であり、ＯＲはアルコールであるＲＯＨの残基である（ここで、Ｒは、（任意に置換された）Ｃ1-30環状、枝分れ若しくは線状アルキル、アルケニル、アリールまたはアルキル−アリール基或いはこれらの混合物を含む）。］のアルコキシド化合物、または、
（ｉｉ）チタン、ジルコニウム及び／またはハフニウム及びアセトアセテートエステルの錯体、
から選択される有機金属化合物と、
（ｂ）ケトン、アルデヒド、カルボン酸、スルホン酸、ニトリルまたはイミンから選択される配位用化合物であって、ジケトンもアセトアセテートエステルも含まない配位用化合物と、
の混合物を含む、ポリウレタン組成物の製造方法を提供する。